(57)【要約】【課題】貯水槽の換気機能を有する人孔蓋において、維持管理コストの低減及び交換部品コストの低減を図る。【解決手段】貯水槽の上壁(1a)の出入口(2)に配置される人孔蓋(10)であって、上壁(1a)から立ち上がる第１の筒状体(12)と、第１の筒状体(12)の上端開口を開閉する蓋本体(13)と、第１の筒状体(12)の外周面との間に第１の隙間(S1)を確保する第２の筒状体(15)とを備え、第１の筒状体(12)に通気口(40)を形成し、貯水槽内を、通気口(40)、第１の隙間(S1)及び第２の筒状体(15)の下方に確保された第２の隙間(S2)を介して外部に連通している人孔蓋において、第１の筒状体(12)とは別体の網板(41)を備え、網板(41)を、ガイド部(44) 等の保持手段により、通気口(40)を覆う位置に着脱可能に保持する。【選択図】図７
2019152092.tif 000002
【特許請求の範囲】
【請求項１】
貯水槽の上壁の出入口に配置され、前記上壁から立ち上がる第１の筒状体と、前記第１の筒状体の上端開口を開閉自在に覆う蓋本体と、前記蓋本体の外周縁に形成され、前記第１の筒状体の外周面との間に第１の隙間を確保する第２の筒状体とを備え、前記第１の筒状体の周壁に通気口を形成し、前記第２の筒状体の下方に第２の隙間を確保し、前記貯水槽内を、前記通気口、前記第１及び第２の隙間を介して外部に連通している人孔蓋において、
前記第１の筒状体とは別体の網板を備え、前記網板を、保持手段により、前記通気口を覆う位置に着脱可能に保持することを特徴とする人孔蓋。
【請求項２】
前記保持手段は、前記網板を前記第１の筒状体の内周面側に保持する、請求項１に記載の人孔蓋。
【請求項３】
前記保持手段は、前記網板を前記第１の筒状体の外周面側に保持する、請求項１に記載の人孔蓋。
【請求項４】
前記保持手段は、前記網板を上方から差し込み可能なガイド部と、前記網板を、前記通気口を覆う位置に係止可能なストッパーとで構成されている、請求項１乃至３のいずれか一つに記載の人孔蓋。
【請求項５】
前記ガイド部は、上下方向に延びるガイド溝を有しており、前記ストッパーは、前記網板の下端に当接するストッパー面を有している、請求項４に記載の人孔蓋。
【請求項６】
前記ガイド部は、断面Ｌ字形状のアングル部材により構成されている、請求項５に記載の人孔蓋。
【請求項７】
前記第１の筒状体及び前記第２の筒状体は、平面視で正方形状に形成されており、前記第１の筒状体の４つの前記周壁に、同一形状の４枚の前記網板がそれぞれ着脱自在に配置されている、請求項２乃至６のいずれか一つに記載の人孔蓋。
【発明の詳細な説明】
【技術分野】
【０００１】
本発明は、貯水槽の上壁に形成された出入口を開閉する人孔蓋に関し、特にその換気構造の改良に関する。
【背景技術】
【０００２】
従来、貯水槽の使用例として、短期間の使用水量変動に対応するため、給水用或いは非常用の溜め池の代わりに、地中に埋設されることがある。かかる貯水槽は、内部の定期点検及び清掃等を行うために、人が出入り可能な出入口と、この出入口を開閉可能な人孔蓋を備えている。さらに、貯水槽の内部を外部に連通する換気機構も備えている。
【０００３】
本件出願人は、このような貯水槽において、独立した換気機構を設ける代わりに、換気機能を兼ね備えた人孔蓋を開発し、特許出願している（特許文献１）。図１１は特許文献１に記載した人孔蓋であり、貯水槽の上壁１００に固定された第１の筒状体１０１と、第１の筒状体１０１の上端開口を開閉する蓋本体１０３と、蓋本体１０３の外周縁に形成された第２の筒状体１０２とを備えている。そして、換気機構として、第１の筒状体１０１に通気口１０５を設け、第１の筒状体１０１の外周面と第２の筒状体１０２の内周面との間に第１の隙間Ｓ１を確保し、第２の筒状体１０２の下端の下方に第２の隙間Ｓ２を確保している。すなわち、貯水槽の内部は、出入口１１０、通気口１０５、第１の隙間Ｓ１及び第２の隙間Ｓ２を介して、換気可能に外部に連通している。さらに、外部から虫等の異物が貯水槽内に侵入するのを防止するため、通気口１０５を覆う網板１０６を、溶接により、第１の筒状体１０１に一体に固着してある。
【先行技術文献】
【特許文献】
【０００４】
【特許文献１】特開平７−２４７５６６号（特許第２５５０４７５号）公報。
【発明の概要】
【発明が解決しようとする課題】
【０００５】
図１１の人孔蓋において、通気口１０５を覆う網板１０６は、溶接により第１の筒状体１０１に一体に固着されているため、網板１０６が腐食したり、破損したり、劣化した場合には、人孔蓋全体を交換しなければならず、交換用の製品コストあるいは部品コストが高くなる。すなわち、貯水槽の維持管理コストが高くなる。また、人孔蓋全体を交換する必要があるので、交換作業にも手間がかかる。
【０００６】
定期的に網板１０６の目詰まり等を清掃する場合には、網板１０６が、現場の第１の筒状体１０１に固着された状態で行う必要があり、清掃作業に手間がかかる。
【０００７】
特に、屋外に設置される貯水槽において、板金等で強固に製作されている第１及び第２の筒状体１０１、１０２に比べ、網板１０６は、強度及び耐久性が低いので、網板１０６のみが短期間で破損する場合が多い。すなわち、第１及び第２の筒状体１０１、１０２に交換の必要性がないにも拘わらず、網板１０６と共に無駄に交換しなければならない。
【０００８】
本発明の目的は、通気口を覆う網板が腐食したり、破損したり、劣化したりした場合に、網板のみを交換し、あるいは網板のみを外して清掃できるようにすることにより、人孔蓋の維持管理コストを低減し、かつ、交換作業及び清掃作業を容易化することである。
【課題を解決するための手段】
【０００９】
前記課題を解決するため本発明は、貯水槽の上壁の出入口に配置され、前記上壁から立ち上がる第１の筒状体と、前記第１の筒状体の上端開口を開閉自在に覆う蓋本体と、前記蓋本体の外周縁に形成され、前記第１の筒状体の外周面との間に第１の隙間を確保する第２の筒状体とを備え、前記第１の筒状体の周壁に通気口を形成し、前記第２の筒状体の下方に第２の隙間を確保し、前記貯水槽内を、前記通気口、前記第１及び第２の隙間を介して外部に連通している人孔蓋において、前記第１の筒状体とは別体の網板を備え、前記網板を、保持手段により、前記通気口を覆う位置に着脱可能に保持している。
【００１０】
本発明は、前記人孔蓋の構成に加え、好ましくは次の構成要件を備えることができる。
【００１１】
（ａ）前記保持手段は、前記網板を前記第１の筒状体の内周面側に保持する。
【００１２】
（ｂ）前記保持手段は、前記網板を前記第１の筒状体の外周面側に保持する。
【００１３】
（ｃ）前記保持手段は、前記網板を上方から差し込み可能なガイド部と、前記網板を、前記通気口を覆う位置に係止可能なストッパーとで構成されている。この場合、さらに好ましくは、前記ガイド部は、上下方向に延びるガイド溝を有しており、前記ストッパーは、前記網板の下端に当接するストッパー面を有している。また、前記ガイド部は、断面Ｌ字形状のアングル部材により構成されることが好ましい。
【００１４】
（ｄ）前記第１の筒状体及び前記第２の筒状体は、平面視で正方形状に形成されており、前記第１の筒状体の４つの前記周壁に、同一形状の４枚の前記網板がそれぞれ着脱自在に配置されている。
【発明の効果】
【００１５】
（１）本発明によると、通気口の網板が腐食したり、破損したり、劣化した場合、網板のみを第１の筒状体から取り外して交換できるので、交換時の製品コストあるいは部品コストを低減できる。すなわち、維持管理コストを低減でき、かつ、交換作業自体も、網板の交換だけで済み、容易になる。また、網板のみを取り外して、目詰まり等を掃除できるので、清掃作業が容易になる。
【００１６】
（２）構成要件（ａ）のように、前記網板を前記第１の筒状体の内周面側に保持していると、蓋本体を開いた時、網板の保持部分に、作業員の靴や工具等か外側から当接する心配がなく、網板の保持部分を保護できる。また、蓋本体を開いた時の外観も維持できる。
【００１７】
（３）構成要件（ｂ）のように、前記網板を前記第１の筒状体の外周面側に保持していると、網板及びその保持状態の点検作業が、第１の筒状体の外から容易に行え、点検作業がし易い。
【００１８】
（４）構成要件（ｃ）のように、ガイド部及びストッパーを備えていると、蓋本体を開いた状態において、古い網板を上方に抜き取り、新しい網板を上方から差し込むだけで、交換作業が完了するので、網板の交換作業が簡単に行える。特に、ガイド部のガイド溝並びにストッパーのストッパー面で、網板を所定の水平方向位置及び高さに保持するので、新しい網板を、古い網板と同じ所定位置に簡単かつ正確に保持できる。また、ガイド部として、アングル部材を使用すると、ガイド部の加工も容易である。
【００１９】
（５）構成（ｄ）のように、前記第１の筒状体を平面視で正方形状に形成していると、各周壁に共通の網板を使用でき、交換部品の管理並びに交換作業が容易になる。
【図面の簡単な説明】
【００２０】
【図１】本発明の第１の実施の形態の人孔蓋を備えた貯水槽の側面図である。
【図２】図１の人孔蓋を拡大した側面図である。
【図３】図２の人孔蓋の平面図である。
【図４】図２の人孔蓋の正面図である。
【図５】蓋本体を開いた状態で示す図２の人孔蓋の平面図である。
【図６】図５の矢印VI部分の水平断面拡大図である。
【図７】図３のVII-VII断面拡大図である。
【図８】網板の交換作業時の状態を示す第１の筒状体の斜視図である。
【図９】網板の交換作業工程を示す図５のIＸ-IＸ断面相当図であり、（ａ）は網板差し込み前、（ｂ）は網板差し込み途中、（ｃ）は網板差し込み完了時の状態を示している。
【図１０】本発明の第２の実施の形態を示しており、図８と同様の斜視図である。
【図１１】従来例の縦断面図である。
【発明を実施するための形態】
【００２１】
［発明の第１の実施の形態］
図１乃至図９に基づいて、本発明の第１の実施の形態を説明する。図１において、貯水槽１は、コンクリートにより略直方体形状に形成されており、上壁１ａが地面Ｅから上方に露出した状態で、地中に埋設されている。上壁１ａには、人が貯水槽１内に出入りできる大きさの出入口（マンホール）２が形成されており、この出入口２の上方を覆うように、本発明に係る人孔蓋１０が配置されている。貯水槽１の内周壁には、作業員が昇降するための複数のステップ３が設けられている。
【００２２】
図２は図１の人孔蓋１０を拡大して示す側面図であり、人孔蓋１０は、貯水槽１の上壁１ａの上面に水平に固定されたベース板１１と、このベース板１１の水平部分を上下方向に貫通して上方に立ち上がる第１の筒状体１２と、この第１の筒状体１２の上端開口を開閉する蓋本体１３と、この蓋本体１３の外周縁に一体形成されて下方に立ち下がる第２の筒状体１５とを備えている。ベース板１１、第１の筒状体１２、蓋本体１３及び第２の筒状体１５は、いずれも金属製、たとえばステンレス鋼製である。
【００２３】
ベース板１１は、４本のアンカーボルト２０及びナット２１により、貯水槽１の上壁１ａの上面に固定されている。第１の筒状体１２は、溶接によりベース板１１に固着され、第１の筒状体１２の下端１２ｂは、貯水槽１の出入口２の上端周縁に至っている。また、第１の筒状体１２は、離脱防止チェーン２３により、出入口２の内周面のアンカーボルト２４に繋がれている。第２の筒状体１５は、蓋本体１３が閉じている状態において、第１の筒状体１２の外周面を水平方向の外方から囲んでいる。また、第２の筒状体１５の水平方向の一端部は、ヒンジ機構２６によりベース板１１に回動自在に支持されており、第２の筒状体１５の水平方向の他端部は、ロック機構３０により図２に示す閉位置にロックされている。
【００２４】
ヒンジ機構２６は、ベース板１１から立ち上がる支持板２７と、第２の筒状体１５から延びる被支持板２８と、支持板２７と被支持板２８とを回動自在に連結するヒンジ軸２９とにより構成されている。これにより、第２の筒状体１５及び蓋本体１３は、図２に示す閉位置と、ヒンジ軸２９回りに矢印Ｒ方向に略１８０度回動した全開位置との間で、開閉することができる。
【００２５】
ロック機構３０は、第２の筒状体１５に形成された被ロック片３１と、ベース板１１から立ち上がるロック片３２とで構成されており、被ロック片３１とロック片３２とは、第２の筒状体１５が閉位置の時に、水平方向に重なるロック用孔３３をそれぞれ有している。被ロック片３１とロック片３２のロック用孔３３に、図３に示すように、南京錠３５等のＵ字状ロッドを挿通することにより、蓋本体１３及び第２の筒状体１５を閉位置にロックしている。蓋本体１３の上面には、被ロック片３１近傍位置に、コの字形の取手３６が設けられている。
【００２６】
ここで、説明の都合上、ヒンジ機構２６が配置されている側を人孔蓋１０の「後側」と称し、ロック機構３０が配置されている側を人孔蓋１０の「前側」と称して、人孔蓋１０に設けられた換気機構を説明する。図５は蓋本体１３及び第２の筒状体１５を開いた状態の平面図であり、第１の筒状体１２、蓋本体１３及び第２の筒状体１５は、いずれも平面視で正方形状に形成されている。第１の筒状体１２、蓋本体１３及び第２の筒状体１５の大きさに関し、第２の筒状体１５の左右の周壁間及び前後の周壁間の内法（内寸法）Ｄは、第１の筒状体１２の左右の周壁１２ａ及び前後の周壁１２ａの外法（外寸法）ｄよりも大きく形成されている。すなわち、寸法Ｄ＞寸法ｄとなるように、蓋本体１３、第２の筒状体１５及び第１の筒状体１２の大きさが設定されている。
【００２７】
このような寸法設定により、図３に示すように、蓋本体１３が閉じている状態において、第１の筒状体１２の全外周面と、第２の筒状体１５の全内周面との間に、水平方向の第１の隙間Ｓ１が確保されることになる。第１の隙間Ｓ１の具体的な大きさは、たとえば、第２の筒状体１５の外法が６００ミリ程度とした場合に、数十ミリから百ミリ程度の範囲に設定される。勿論これらの数値に限定されるものではない。
【００２８】
図７において、第１の筒状体１２と第２の筒状体１５の高さに関し、第１の筒状体１２のベース板１１の上面からの立ち上がり寸法をＨとし、第２の筒状体１５の蓋本体１３の下面からの立ち下がり寸法をｈとすると、立ち上がり寸法Ｈ＞立ち下がり寸法ｈとなるように、設定されている。このような寸法設定により、蓋本体１３及び第２の筒状体１５が閉じている状態において、第２の筒状体１５の下端１５ｂとベース板１１の上面との間には、第２の筒状体１５の全周に亘って、上下方向の第２の隙間Ｓ２が確保されることになる。第２の隙間Ｓ２の具体的な大きさは、たとえば、第２の筒状体１５の外法が６００ミリ程度とした場合に、十ミリから数十ミリ程度の範囲である。勿論これらの数値に限定されるものではない。
【００２９】
図６乃至図８により、本発明の要部である通気口４０及び網板４１の構造を説明する。図８において、平面視で正方形状の第１の筒状体１２の４つの周壁１２ａには、水平方向に長い通気口４０が、略同一高さに２個ずつ形成されている。各通気口４０は、水平方向に長い長方形の長手方向両端辺を、半円状に膨らませてなる形状、たとえば陸上競技場のフィールドのような長円形状に形成されている。
【００３０】
第１の筒状体１２の各周壁１２ａの内周面には、通気口４０を覆う位置に網板４１を保持する保持手段として、上下方向に延びる一対のガイド部４４と、対向する一対のガイド部４４の下面を水平に連結するストッパー４５とが、それぞれ設けられている。
【００３１】
図６において、各ガイド部４４は、水平断面形状がＬ字形状のステンレス鋼製のアングル部材で製造されると共に、第１の筒状体１２の四隅近傍にそれぞれ配置され、溶接により周壁１２ａの内周面に固着されている。ガイド部４４を溶接により周壁１２ａの内周面に固着することにより、ガイド部４４のＬ字状内面と周壁１２ａの内周面とで、上下方向に延びるガイド溝４６を形成している。
【００３２】
図７において、上下方向に延びる各ガイド部４４の上端は、第１の筒状体１２の上端と通気口４０の上端との上下方向間に位置し、各ガイド部４４の下端は、通気口４０の下端より少し下がった位置に位置している。これにより、通気口４０の上下幅よりも上下方向に長いガイド部４４が配設されていることになる。
【００３３】
ストッパー４５は、溶接により、ガイド部４４の下面及び／又は周壁１２ａの内周面に溶接により固着されている。これにより、ガイド部４４に上方から差し込まれた網板４１は、その下端がストッパー４５のストッパー面（上面）に当接し、通気口４０の全体を内方から覆う保持位置に、係止保持される。
【００３４】
図８において、第１の筒状体１２の４つの周壁１２ａに配置される網板４１は、ステンレス鋼製の矩形の外枠４１ａと、この外枠４１ａ内に張り渡されたステンレス鋼製の網本体４１ｂとから構成されている。網本体４１ｂのメッシュは、防虫機能を果たしうる大きさのものが使用されている。網板４１の長手方向（水平方向）の幅は、一対のガイド部４４のガイド溝間の距離に対し、わずかに短く形成されている。したがって、網板４１の長手方向の両端部は、図６に示すように、両ガイド部４４のガイド溝４６に上方から差し込むことができる。
【００３５】
［第１の実施の形態の作用］
（１）貯水槽１内を点検あるいは清掃する場合は、図３のロック機構３０の南京錠３５を開錠し、取手３６を把持して、蓋本体１３及び第２の筒状体１５を、ヒンジ軸２９回りに矢印Ｒ方向に回動し、たとえば全開位置まで開く。
【００３６】
（２）網板４１の交換、補修あるいは清掃のために、網板４１を第１の筒状体１２から取り外す場合には、蓋本体１３及び第２の筒状体１５を開いた状態で、図９の下段の（ｃ）から上段の（ａ）まで順次示すように、各網板４１をガイド部４４から上方に抜き出す。交換用の新たな網板４１、あるいは補修又は清掃した網板４１を取り付ける場合には、図９の上段の（ａ）から下段の（ｃ）まで順次示すように、各網板４１をガイド部４４に上方から差し込み、網板４１の下端をストッパー４５のストッパー面（上面）で係止させる。これにより、各通気口４０を内方から覆う位置に網板４１を保持できる。
【００３７】
（３）図７に示すように蓋本体１３を閉じた状態においても、貯水槽１の内部は、通気口４０、第１の筒状体１２の外周側の第１の隙間Ｓ１、及び第２の筒状体１５の下方の第２の隙間Ｓ２を介して、換気可能に外部に連通している。すなわち、白抜きの矢印で示すように、貯水槽１の内部の空気を外部に排出することができる。
【００３８】
［第１の実施の形態の効果］
（１）網板４１が破損したり、劣化したりした場合、人孔蓋全体を交換しなくとも、破損した網板４１のみを交換し、あるいは網板４１のみを取り外して補修できるので、人孔蓋の維持管理及び修理コストを低減することができる。また、人孔蓋全体を交換する場合に比べ、新品への交換作業も容易である。
【００３９】
（２）各網板４１は、上下方向に延びるガイド溝４６を有するガイド部４４に、上方から抜き差し自在に装着できるので、網板４１の装着作業及び取り外し作業も上方から簡単に行える。
【００４０】
（３）蓋本体１３を閉じた状態において、通気口４０及び網板４１は、第２の筒状体１５により外部から保護されるので、雨、外部からの泥やごみから網板４１を保護することができる。
【００４１】
（４）図７に示すように蓋本体１３を閉じた状態において、貯水槽１の内部は、通気口４０、第１の隙間Ｓ１及び第２の隙間Ｓ２を介して、換気可能に外部に連通しているので、独立した通気塔等を別途設ける必要がなく、貯水槽等の製造コストを低減し、構造も簡素化できる。
【００４２】
（５）網板４１を、第１の筒状体１２の周壁１２ａの内周面側に配置しているので、外周面側に配置する場合に比べると、外部の異物等から網板４１を厚く保護できる。
【００４３】
（６）第１の筒状体１２を平面視で正方形状とし、４つの周壁１２ａに配置する４つの網板４１を同一形状として、共通化しているので、多種類の網板を製造する必要がなく、網板４１の製造加工及び部品管理が容易である。
【００４４】
［本発明の第２の実施の形態］
図１０は、本発明の第２の実施の形態における第１の筒状体１２及び網板４１を示している。この図１０において、前述の第１の実施の形態と異なる構成は、各網板４１を保持する保持手段、すなわち、ガイド部４４及びストッパー４５が、第１の筒状体１２の各周壁１２ａの外周面に設けられていることである。その他の構造は第１の実施の形態と同じであり、同じ部品には同じ符号が付してある。したがって、第２の実施の形態では、各網板４１は、各周壁１２ａの外周面に配置され、通気口４０を外方側から覆うことになる。
【００４５】
図１０のように、各網板４１を、第１の筒状体１２の周壁１２ａの外周側に配置していると、網板４１及びその保持状態の点検作業が、第１の筒状体１２の外から容易に視認でき、点検作業がし易い。
【００４６】
［その他の実施の形態］
（１）網板を第１の筒状体に保持する保持手段として、第１及び第２の実施の形態では、各網板を上方から差し込み可能なガイド部及びストッパーを配置しているが、磁石、クリップあるいはボルト等の固定手段を利用することもできる。
【００４７】
（２）第１及び第２の実施の形態では、第１及び第２の筒状体を平面視で正方形状としているが、円形状、長方形状あるいは五角形以上の多角形状とすることもできる。
【００４８】
（３）第２の筒状体の下端の形状を、水平な直線状でなく、たとえば波形として、ベース板の上面と第２の筒状体の間に、多数の波形の第２の隙間（Ｓ２に相当）を形成することもできる。
【産業上の利用可能性】
【００４９】
本発明による人孔蓋は、土木あるいは建築用の各種設備品の製造業で製造され、また、土木工事あるいは建築工事の現場において建築物等に設置或いは使用される。
【符号の説明】
【００５０】
１０  人孔蓋
１１  ベース板
１２  第１の筒状体
１２ａ  周壁
１３  蓋本体
１５  第２の筒状体
４０  通気口
４１  網板
４４、４５  ガイド部、ストッパー（保持手段の一例）
４６  ガイド溝
Ｓ１  第１の隙間
Ｓ２  第２の隙間
【図１】
2019152092.tif 000003
【図２】
2019152092.tif 000004
【図３】
2019152092.tif 000005
【図４】
2019152092.tif 000006
【図５】
2019152092.tif 000007
【図６】
2019152092.tif 000008
【図７】
2019152092.tif 000009
【図８】
2019152092.tif 000010
【図９】
2019152092.tif 000011
【図１０】
2019152092.tif 000012
【図１１】
2019152092.tif 000013